【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
複数のシート材で形成されるシート束に掛け回されてシート束を拘束する拘束部材を供給する拘束部材供給手段と、
供給された前記拘束部材をシート束に掛け回す周回手段と、
前記周回手段によりシート束に掛け回された前記拘束部材をシート束と一体に綴じ処理する綴じ手段と、
前記拘束部材供給手段により供給される拘束部材の長さをシート束の厚みに応じて変更する制御手段と、を備えたことを特徴とするシート処理装置。
【請求項２】
前記周回手段は、掛け回した前記拘束部材の両端をシート束の綴じ辺側の端部に一致させてシート束に重ね合わせることを特徴とする請求項１記載のシート処理装置。
【請求項３】
前記拘束部材供給手段は、拘束材料から前記拘束部材を切断して形成する切断手段を有し、
前記制御手段は、シート束の厚みとシート束のシートサイズとから前記拘束部材の必要な長さを演算し、前記切断手段を用いて前記拘束材料を前記必要な長さに切断することを特徴とする請求項１又は２記載のシート処理装置。
【請求項４】
前記制御手段は、前記切断手段を用いて前記拘束部材の特定位置にミシン目を形成することを特徴とする請求項３記載のシート処理装置。
【請求項５】
前記拘束材料は、長手方向の複数位置に切断が容易となる加工を予め施してあることを特徴とする請求項３記載のシート処理装置。
【請求項６】
前記拘束材料は、シート束の綴じ辺の長さよりも短い幅を有することを特徴とする請求項３乃至５いずれか１項記載のシート処理装置。
【請求項７】
前記拘束部材供給手段は、幅を異ならせた複数種類の前記拘束材料を収容することを特徴とする請求項３乃至６いずれか１項記載のシート処理装置。
【請求項８】
前記綴じ手段は、シート束の綴じ辺を複数の綴じ位置で綴じ処理し、
前記拘束部材供給手段は、前記複数の綴じ位置に応じて別々の拘束材料を並列に供給することを特徴とする請求項３乃至７いずれか１項記載のシート処理装置。
【請求項９】
受け入れたシート材を重ね合わせてシート束を形成する束形成手段を備え、
前記綴じ手段は、前記束形成手段により形成されたシート束を冊子状に綴じ処理する手段を兼ねていることを特徴とする請求項１乃至８いずれか１項記載のシート処理装置。
【請求項１０】
前記束形成手段からシート束を移動させて前記綴じ手段に対して位置決めするシート束移動機構を備え、
前記周回手段は、前記シート束移動機構によるシート束の移動に伴って前記拘束部材をシート束に周回させて、前記拘束部材の両端をシート束の前記綴じ辺側の表裏に重ね合わせることを特徴とする請求項９記載のシート処理装置。
【請求項１１】
シートに画像形成する画像形成手段と、
画像形成されたシートを処理する請求項１乃至１０いずれか１項記載のシート処理装置と、を備えることを特徴とする画像形成装置。
【手続補正２】
【補正対象書類名】明細書
【補正対象項目名】００１４
【補正方法】変更
【補正の内容】
【００１４】
本発明のシート処理装置は、複数のシート材で形成されるシート束に掛け回されてシート束を拘束する拘束部材を供給する拘束部材供給手段と、供給された前記拘束部材をシート束に掛け回す周回手段と、前記周回手段によりシート束に掛け回された前記拘束部材をシート束と一体に綴じ処理する綴じ手段と、前記拘束部材供給手段により供給される拘束部材の長さをシート束の厚みに応じて変更する制御手段とを備えたものである。
【手続補正３】
【補正対象書類名】明細書
【補正対象項目名】００１５
【補正方法】変更
【補正の内容】
【００１５】
本発明のシート処理装置では、拘束部材供給手段が、シート束の厚みに応じた、言い換えれば、シート束と一体に機密保持処理された状態が見栄え良くなる長さの拘束部材を供給する。これにより、周回手段は、拘束部材をシート束の綴じ辺の反対側に周回させて、拘束部材の両端をシート束の綴じ辺側の表裏に重ね合わせた際に、拘束部材の端部を綴じ辺に精度良く位置決めできる。また、綴じ手段は、シート束の厚みの大小にかかわらず、見栄え良く設定された綴じ辺の内側の一定位置でシート束と拘束部材の端部とを綴じ処理することが可能となる。
【手続補正４】
【補正対象書類名】明細書
【補正対象項目名】００１６
【補正方法】変更
【補正の内容】
【００１６】
従って、拘束部材の端部を追って綴じ手段をシート束の中央側へ移動させる機構や、綴じ処理後に拘束部材とシート束とを一体にトリミングする機構が無くても、見栄えの良い機密保持処理を実行できる。小さな機構スペースに配置された簡単な機構によって、見栄えの良い機密保持処理を実現できる。
【手続補正５】
【補正対象書類名】明細書
【補正対象項目名】００３７
【補正方法】変更
【補正の内容】
【００３７】
バンドシート（拘束部材）Ｂｓは、幅３０ｍｍの丈夫な紙材料（拘束材料）をロール状に巻いた機密保持処理専用の消耗品として供給され、ステイプラ本体２４０の針綴じ位置ごとに複数巻を装填してシート処理装置２００の機体内に収納されている。機密保持処理を行う場合、バンドシートＢｓは、シート束搬送経路２９４を厚み方向に貫通して一端をバンド押え２３４で把持される。
【手続補正６】
【補正対象書類名】明細書
【補正対象項目名】００４４
【補正方法】変更
【補正の内容】
【００４４】
図５の（ａ）に示すように、初期状態では、前回に切断器２３５で切断された状態のまま、バンドシートＢｓは、先端側を搬送ローラ２３０（拘束部材供給手段）に挟持されて停止している。切断器２３５は、搬送ローラ２３０によってロールから引き出されて搬送されるバンドシートＢｓに対して、ミシン目加工および切断処理を施す。
【手続補正７】
【補正対象書類名】明細書
【補正対象項目名】００５１
【補正方法】変更
【補正の内容】
【００５１】
図７の（ａ）に示すように、シート束移動機構２２０（周回手段）の下降に伴って、シート束Ｓｔの先端側にバンドシートＢｓが自動的に周回して、シート束Ｓｔの表裏に重ね合わされる。
【手続補正８】
【補正対象書類名】明細書
【補正対象項目名】００９２
【補正方法】変更
【補正の内容】
【００９２】
バンドシートＢｓは、シート束の綴じ辺の長さよりも短い幅を有する。幅を異ならせた複数種類のバンド材料を収容しておき、必要な仕上げ姿に応じてバンド材料を切り替えてもよい。
【手続補正９】
【補正対象書類名】明細書
【補正対象項目名】００９８
【補正方法】変更
【補正の内容】
【００９８】
１０ 画像形成装置
１００ 画像形成手段（装置本体）
２００ シート処理装置
１０５、１０６、１０７、１０８ 画像形成部
１１０ 定着器
１６０ 制御手段（制御部）
２０４ バッファ搬送ローラ
２０６ 下排紙ローラ
２０７ 上搬送ローラ
２０８ 上排紙ローラ
２１０ バッファフラッパー
２１１ 搬送フラッパー
２１３ 束形成手段（処理トレイ）
２１４ 先端基準板
２１６ 先端基準台
２２０ バンド材周回手段（シート束移動機構）
２２１、２２２ 把持部
２２３ 保護ガイド
２３０、２３１、２３２、２３４、拘束部材供給手段（搬送ローラ、上デカールローラ、下デカールローラ、バンド押え）
２３４ バンド押え
２３５ 切断手段、ミシン目加工手段（切断器）
２３８ 刃先凸部
２３９ 刃先凹部
２４０、２４１ 綴じ手段（ステイプラ本体、針受け部）
２６１ 下排紙積載台
２９１ バッファ経路
２９２ 搬送経路
２９３ 上排出経路
２９４ シート束搬送経路
Ｓ、Ｓ１、Ｓ２ シート材
Ｓｔ シート束
Ｂｓ 拘束部材、拘束材料（バンドシート）
Ｍｍ ミシン目